(57)【要約】      （修正有）【課題】書類保存ファイルで簡単な操作で且つ安全なファイルにする事。【解決手段】厚紙等で成る表紙Ａの中央の背部Ａａに設けたとじ具１が、合成樹脂製のコの字形状で、ベース２の両辺にヒンジ３ａ、４ａを介して２本の軸５付の押さえ板３と、其れに対向する軸ホールド体４とで成る書類保存ファイルであって、該軸ホールド体４は箱状で空間部４ａにストッパー６を組み込み、該箱状の側面には押さえ板３の２本の軸５の端子が同時に差し込み自在の穴７を開口し、常時指し込み自在に該穴７に定着する軸５の切り込み５ａ付き端子がストッパー６端部と係合し軸ホールド体４と軸５のロックと解除を自在に係合するが、摘まみ６ａの頂部を押すことで該ストッパー６は２本の軸５の切り込み５ａにまたがる細長いスプリング状が空間部４ａに設けた支柱８と支点作用でたわみ、端部が２本の軸５の切り込み５ａより離脱することを特徴とする書類保存ファイル。【選択図】図１
2007030489.tif 000002
【特許請求の範囲】
【請求項１】
書類保存ファイルで厚紙等で成る表紙（Ａ）の中央の背部（Ａａ）に設けたとじ具（１）が、合成樹脂製のコの字形状で、ベース（２）の両辺にヒンジ（３ａ）（４ａ）を介して２本の軸（５）付の押さえ板（３）と、其れに対向する軸ホールド体（４）とで成る書類保存ファイルに於いて、該軸ホールド体（４）は箱状で空間部（４ａ）にストッパー（６）を組み込み、該箱状の側面には押さえ板（３）の２本の軸（５）の端子が同時に差し込み自在の穴（７）を開口し、常時指し込み自在に該穴（７）に定着する軸（５）の切り込み（５ａ）付き端子がストッパー（６）端部と係合し軸ホールド体（４）と軸（５）のロックと解除を自在に係合するが、該ストッパー（６）は２本の軸（５）の切り込み（５ａ）にまたがる細長いスプリング状が空間部（４ａ）に設けた支柱（８）と支点作用で其の中央部に軸ホールド体（４）の上面より露出する摘まみ（６ａ）が一体構成での頂部を押すことで細長いスプリング状のたわみで端部が２本の軸（５）の切り込み（５ａ）より離脱する事で軸ホールド体（４）が２本の軸（５）から抜け出し軸ホールド体（４）が外部に向け開き、２本の軸（５）えの書類（Ｂ）の差し込み、取り出しが出来、再度摘まみ（６ａ）の押し圧の解除でストッパー（６）のロック可能状態に復元し、再度、軸ホールド体（４）え２本の軸（５）の差し込み時にストッパー（６）端部が軸（５）の押し圧でもぐり込み、軸（５）の切り込み（５ａ）に抜け止め係合自在にしたことを特徴とする書類保存ファイル。
【請求項２】
前記するストッパー（６）は２本の軸（５）の切り込み（５ａ）にまたがる細長い板状で其の中央部に軸ホールド体（４）の上面より突き出る摘まみ（６ａ）が一体構成で、この摘まみ（６ａ）をスライドすることで、細長い板状の端部に切り込んだ軸逃げ溝（６ｂ）を該２本の軸（５）の切り込み（５ａ）が通過自在になり、軸ホールド体（４）と２本の軸（５）の差し込みでの抜け止めロックとロック解除とを自在にしたことを特徴とする請求項１記載の書類保存ファイル。
【請求項３】
前記するベース（２）のサイドにヒンジ（４ａ）を介して外部に向け折り曲げ自在での軸ホールド体（４）をベース（２）より分割構成にて、此れらが押さえ板（３）にスライド近接と遠のき自在の為のスライド手段を双方に設け、軸ホールド体（４）のコーナー部（４ｂ）に対で設けたスリット（４ｃ）が、ベース（２）の対で成るレール（２ａ）に接合し、同時に該押さえ板（３）に一体化して成る２本の軸（５）の外周に設けた幾つかの切り込み（５ａ）が軸ホールド体（４）の両側面の２個の穴（７）に差し込み自在で、軸ホールド体（４）を２本の軸（５）に差し込んで、任意の切り込み（５ａ）位置に軸ホールド体（４）を係合させてロックとアンロックを可能にしたことを特徴とする請求項１及び２項記載の書類保存ファイル。
【請求項４】
前記する軸ホールド体（４）の上面より露出する摘まみ（６ａ）の側面にカギ穴（６ｃ）を開口し、此のカギ穴（６ｃ）に整合する固定穴（４ｄ）を軸ホールド体（４）の側面の一部に近接し、此れらの双方の穴にシリンダー錠（Ｃ）を取り付け自在にしたことを特徴とする請求項１、２及び３項記載の書類保存ファイル。
【発明の詳細な説明】
【技術分野】
【０００１】此の発明は、多量の書類を綴じる事の出来るファイルに関し、詳しくは書類を重ね綴じ込みする部位である、とじ具の改良に関する。
【背景技術】
【０００２】此の種の従来の技術とし図７で述べる様に所定のサイズで厚紙やプラスチックのシートでなる表紙Ａの中央の背部Ａａに位置して、とじ具１′が、ポリプロピレン成型品でのコの字形状で、この背部Ａａに固定するとじ具１′のベース２′の両辺にヒンジ３ａ′，４ａ′を介して書類Ａの差し込まれる２本の軸５′が一体化する押さえ板３′と、他の一辺に対向する軸ホールド体４′が設けられ、押さえ板３′とホールド体４′の双方がベース２′の両辺のヒンジ３ａ′，４ａ′で両開きの自在構成で、書類Ｂが２本の軸５′に出し入れする。【０００３】そして該押さえ板３′のパイプ状でなる２本の軸５′が対向する軸ホールド体４′に２本の軸５′に整合して差し込み自在の穴７′が開口し、その穴７′に２本の軸５′の端子が差し込まれて、２本の軸５′に挿入された書類Ｂが押さえ板３′と軸ホールド体４′に綴じ込まれまれて、閉成体にするが、此れらの双方をホールドするのに個別に設けた細材金属製のコの字形状の押さえピン５０１が２本のパイプ状の軸５′の穴に軸ホールド体４′側面より差し込まれ、該軸ホールド体４′の開くのを防いでいる。【０００４】そして此れらの２本の軸５′に挿入された書類Ｂの取り出しと差し込みは、軸押さえピン５０１を抜き取り、軸５′に差し込まれて仮ホールド状態の閉成体のヒンジ４ａ′付きの軸ホールド体４′を開く事で２本の軸５′の端子が軸ホールド体４′から抜け出して、書類Ｂの抜き差しの操作を行なう事が出来る。
【発明の開示】
【発明が解決しようとする課題】
【０００５】しかしながら上記する従来技術の場合は書類の取り出しや差し込み操作に常時、軸ホール体４′より２本の軸５′に差し込まれる細材金属製のコの字形状の押さえピン５０１と軸５′のパイプの内径との係合に緩みがあると、該ファイルの整理だなからの取り出し、差し戻しの移動時に綴じ込まれた書類Ａの軸５′間でのがたつきなどで、軸ホールド体４′側面えの書類当たりで２本の軸５′抜けなどの課題がある。【０００６】そしてまた軸押さえピン５０１の差し込みに固さがある場合には軸押さえピン５０１の抜きとり操作に指当てスペースが無いために、抜き取りに難がある等の課題がある。【０００７】またこの類の書類保存ファイルは押さえピン５０１を使われていることで、抜き取り後に置き忘れや紛失するなどの課題を残す。
【課題を解決するための手段】
【０００８】此の発明はかかる課題を解決するため請求項１での発明は図１、図２で示すように書類保存ファイルで厚紙等で成る表紙の中央の背部に設けたとじ具が、合成樹脂製のコの字形状で、ベースの両辺にヒンジを介して２本の軸付きの押さえ板と、其れに対向する軸ホールド体とで成る書類保存ファイルであって、該ホールド体は箱状で空間部にストッパーを組組み込み、該箱状の側面に押さえ板の２本の軸の端子が同時に差し込み自在の穴を開口し、常時差し込み自在に該穴に定着する軸の切り込み付き端子がストッパー端部と係合し軸ホールド体と軸のロックと解除を自在に係合するが、該ストッパーは２本の軸の切り込みにまたがる細長いスプリング状で其の中央部に軸ホールド体の上面より露出する摘まみが一体構成で頂部を押すことで長細いスプリング状が屈曲し端部が２本の軸の切り込みより離脱することで軸ホールド体が２本の軸から抜け出し、軸ホールド体が外部に折り曲げが可能になり、且つ摘まみの押し圧の解除でストッパーのロック可能状態に復元し、再度軸ホールド体を２本の軸に差し込み時に其れに出合うストッパーの端部が軸の押し圧でたわみ該軸の切り込みに入ったストッパーの端部が軸と係合する、即ち軸ホールド体が開く事の出来ないロックがかかる。此のように摘まみを押してロックを解除し、書類の出し入れ出来、開いた軸ホールド体を再度２本の軸にはめ込む事でロックがかかる構成である。【０００９】次に請求項２での発明を図３、図４で示すように前記するストッパーは２本の軸の切り込みにまたがる細長い板状で其の中央部に軸ホールド体の上面より突き出る摘まみが一体構成で、此の摘まみを矢印方向にスライドすることで、細長い板状の端部に切り込んだ軸逃げ溝を該２本の軸の切り込みが通り抜けて、軸ホールド体と２本の軸の差し込みによる抜け止めロックが解除となり軸ホールド体が矢印方向に開く構成で、前記請求項１が摘まみを押しての軸ホールド体を解放するためのアンロックの操作が該請求項２では、摘まみをスライド操作することで軸ホールド体を２本の軸から解放出来る構成にしている。【００１０】次に請求項３での発明を図５で示すように前記するベースのサイドにヒンジを介して外部に向け折り曲げ自在での軸ホールド体をベースより分割構成にて、此れらが押さえ板にスライド近接と遠のき自在の為のスライド手段を双方に設け、コーナー部に対でなるスリットがベースの対で成るレールに接合し、同時に該押さえ板に一体化して成る２本の軸の外周に設けた幾つかの切り込みが軸ホールド体の両側面の２個の穴に差し込みが自在で、軸ホールド体を２本の軸に差し込んで、任意の切り込み位置に軸ホールド体を係合させて、摘まみの操作でロックとアンロックを可能な構成である。【００１１】次に請求項４での発明を図６で示すように前記する軸ホールド体の上面より露出する摘まみの側面にカギ穴を開口し、此のカギ穴に整合する固定穴を軸ホールド体の側面の一部に近設し、此れらの双方の穴にシリンダー錠を取り付け自在にし、ファイルに綴じられた書類のセキュリティ手段を具現化しての構成である。
【発明の効果】
【００１２】本発明は上述の通り構成作用するので次の効果を奏する。即ち書類のファイルの綴じ込みと取り出しは、第１実施例では２本の軸に差し込んだ書類を挟む軸ホールド体は摘みを押すだけのワンタッチ操作で軸ホールド体が開き、其の閉じは２本の軸を軸ホールド体の穴に差し込むだけで軸ホールド体がロックの出来るワンタッチ操作で書類ファイルの出来る書類保存ファイルを提供する事が出来る。【００１３】そしてまた、軸ホールド体に設けた摘まみをスライドの操作で、軸ホールド体の開閉の出来る第２実施例の書類保存ファイルを提供する事が出来る。【００１４】次に第３実施例では、２本の軸に綴じ込む書類は個別に、幾つかの切り込みを設けた２本軸に差し込み選択の出来るスライド自在の軸ホールド体にして、綴じ込まれた書類の遊び止めの出来る書類保存ファイルを提供出来る。【００１５】また第４実施例では、綴じ込まれた書類の抜き取り盗難防止のシリンダー錠付きの書類保存ファイルを提供出来る。
【発明を実施するための最良の形態】以下に図示の本発明の実施例に基づいて更に詳細に説明するに、図１は第１実施例での全体を示す一部断面での斜視図で、ポリプロピレン樹脂成型品でのコの字形状での、とじ具１で、比較的多量の書類Ｂを保存する為厚紙での表紙Ａの背部Ａａに固定するベース２の巾を広く取り、此れらの長手の片辺にヒンジ３ａでの２本の書類Ｂを差し込む軸５を設けた押さえ板３が接続され、他方の辺にヒンジ４ａで接続する軸ホールド体４を設けたとじ具１で、該押さえ板３の２本の軸は対向する軸ホールド体４の側面に開口する穴７に係合自在に構成し、それぞれが両開きに折り曲げ可能にするが、此れらのそれぞれのヒンジ３ａ、４ａは矢印方向開きでコの字形状での内側畳みのない構成でよい。【００１６】これらの軸ホールド体４は箱状で、内部の空間部４ａにはストッパー６が収納されるが該細長く弾発力のあるストッパー６は中央部に軸ホールド体４の上面に露出する摘まみ６ａが一体化するが、ＡＢＳ樹脂の成型品での僅かなバネ性や、摘まみ６ａにステンレスバネ材の組み合わせなどでも良い、此れらの細長いストッパー６の両端は軸押さえ板３の軸５の端に設けた切り込み５ａの出入れする軸ホールド体４の側面に開口する穴７部に定着して係合するが、ストッパー６の両端に近傍する支柱８を支点として、摘まみ６ａを矢印方向の押し圧でストッパーの両端が矢印方向に屈曲し、係合する切り込み５ａのロックが解除し、軸ホールド体４が矢印方向に開き、２本の軸５に書類Ｂの挿入が出来る構成とする。【００１７】更に第１実施例の要部を図２の斜視図で示すが、２本の軸５のロック解除が再度軸ホールド体４を矢印方向に閉じるのに、軸５の端の切り込み５ａに整合して差し込まれた時穴７部に定着するストッパー６の端が切り込み５ａの先のテーパー５ｂによって押し上げられたストッパー６の端が湾曲し２本の軸５の切り込み５ａに係合し湾曲の端が正常復元力でロックし軸ホールド体４が閉じられる。【００１８】次に第２実施例を図３の一部断面での全体斜視図で示すが、２本の軸５の切り込み５ａにまたがる板状で非弾性体での其の中央に軸ホールド体４の上面より露出する摘まみ６ａが一体構成するストッパー６の端が軸の切り込み５ａに常時差し込まれ、軸５から軸ホールド体４の開きをロックし、摘まみ６ａを矢印方向にスライドすることで、ストッパーの端に設けた軸逃げ溝６ｂが軸の切り込み５ａに移動し、ロックが解除し軸ホールド体４が矢印方向に開き、書類Ｂが２本の軸５に出し入れを自在にし、再度軸ホールド体４を矢印方向に閉じ、摘まみ６ａを図４で示すように矢印方向に摘まみ６ａを戻す事で、軸逃げ溝６ｂの同時移動が切り込み５ａから離れロックが行われる。【００１９】次に第３実施例を図５の分解図での全体斜視図で示すが、ベース２の長手辺にヒンジ４ａを介して外部に向け折り曲げ自在での軸ホールド４をベース２より分割構成にて、コーナー部４ｂに対で成るスリット４ｃがベース２の対で成るレール２ａに接合して、押さえ板３に軸ホールド体４が差し込まれ、且双方がベース２の凸状のレール２ａに差し込まれる軸ホールド体４に設けた凹状がはめ込まれスムーズにスライドするが、此れらの軸ホールド体４が２本の軸５に挿入される書類Ｂの厚さに近接して挟着するロックとアンロック操作自在の為のストッパー６の摘まみ６ａ操作で、係合する軸５の切り込み５ａを２本の軸５の外周に所定の間隔をおいて設け、双方が近接と遠のきを自在にする構成とする。【００２０】そしてまた第４実施例を図６での全体斜視図で示すが、前記する第１、第２、第３実施例でのとじ具１の軸ホールド体４の上面に露出する摘まみ６ａの側面にカギ穴６ｃを開口し、此のカギ穴６ｃがそれぞれのロック位置で整合する固定穴４ｄを軸ホールド体５の側面の一部に近接して設け、此れらの双方の穴にシリンダー錠Ｃを取り付け自在にしファイルされた書類Ｂが盗難防止可能な構成での書類保存ファイルにして居る。
この様にそれぞれ新しい機能と新しい効果でのとじ具１は従来での厚紙やプラスチックシート材の表紙Ａの背部Ａａにベース２と鳩目やリベット等で固定するが、固定手段については特定するものでない。
【図面の簡単な説明】
【００２１】
【図１】    本発明に係わる第１実施例での一部断面での全体斜視図である
【図２】    第１実施例での要部斜視図である
【図３】    本発明に係わる第２実施例での一部断面での全体斜視図である
【図４】    第２実施例での要部断面での部分斜視図である
【図５】    本発明に係わる第３実施例での分解での全体斜視図である
【図６】    本発明に係わる第４実施例での全体斜視図である
【図７】    従来技術での全体斜視図である
【符号の説明】
【００２２】  Ａ      表紙
Ｂ      書類
Ｃ      シリンダー錠
１、１′とじ具
２、２′ベース
２ａ    レール
３、３′押さえ板
４、４′軸ホールド体
４ａ    ヒンジ
４ｃ    スリット
４ｄ    固定穴
５、５′軸
５ａ    切り込み
６      ストッパー
６ａ    摘まみ
６ｂ    軸逃げ溝
６ｃ    カギ穴
７、７  穴
８      支柱
【図１】
2007030489.tif 000003
【図２】
2007030489.tif 000004
【図３】
2007030489.tif 000005
【図４】
2007030489.tif 000006
【図５】
2007030489.tif 000007
【図６】
2007030489.tif 000008
【図７】
2007030489.tif 000009